(57)【特許請求の範囲】
【請求項１】
遊技台に隣接配置される遊技台用台間機であって、
台間機本体と、
前記遊技台でプレイする遊技者に情報を表示する表示器と、
を有しており、
前記表示器は、前記台間機本体の前面に配置した表示器ガイド枠に対して、当該台間機本体の上下方向の異なる高さ位置に移動可能に取り付けられており、
前記台間機本体における前記表示器ガイド枠の背面側には、前記表示器を、手動操作によって、前記表示器ガイド枠に沿って、前記上下方向の異なる高さ位置に位置決め可能な表示器ガイド部を有しており、
前記表示器ガイド部は、前記上下方向に延びる一定長さの垂直ガイドレールを備え、
前記垂直ガイドレールには、当該垂直ガイドレールに沿って前記上下方向にスライド可能な状態で、スライダが取り付けられ、
前記表示器は、前記上下方向に延びる垂直軸を中心として左右に回動可能な状態で、前記スライダに搭載され、
スライダにはノッチピンが取り付けられ、
前記台間機本体の側には、前記ノッチピンが係合可能なノッチ溝が前記上下方向に一定のピッチで形成された係合部が配置されていることを特徴とする遊技台用台間機。
【請求項２】
前記台間機本体は、前記遊技台でプレイするために用いる遊技媒体の貸し出しを行うための紙幣識別ユニット、カードリーダーライターおよび制御ユニットを備えた遊技媒体貸出機本体である請求項１に記載の遊技台用台間機。
【発明の詳細な説明】
【技術分野】
【０００１】
本発明は、パチンコ遊技機、パチスロ遊技機等の遊技台に隣接配置される遊技台用台間機に関する。
【背景技術】
【０００２】
遊技台に隣接配置される遊技台用台間機の表示器としては、特許文献１に記載の台間表示装置が知られている。この台間表示装置の画像表示手段（表示器）は、装置本体の内部に収容された収容位置と装置本体から突出して表示画面を見ることのできる突出位置との間を移動可能である。したがって、隣接する遊技台でプレイをする遊技者は、必要な場合に画像表示手段を引き出して、その表示画面を見ることができる。
【先行技術文献】
【特許文献】
【０００３】
【特許文献１】特開２０１２−７０９６１号公報
【発明の概要】
【発明が解決しようとする課題】
【０００４】
ここで、遊技台でプレイする遊技者は、それぞれ身長、体型が相違し、プレイ時の姿勢も様々である。遊技者は、遊技台の前の椅子に座ってプレイ可能な姿勢で、隣接する台間機の表示器の表示内容を見る。また、表示器のタッチパネルの操作を行う。遊技者の目の高さ位置が表示器の画面と同一であれば良いが、目の高さ位置が表示器の画面よりも高すぎる場合あるいは低すぎる場合には、遊技者は画面を見難い。
【０００５】
また、遊技台に顔を近づけてプレイする遊技者、遊技台から顔を遠ざけてプレイする遊技者等、遊技台に対する遊技者の距離も様々である。このため、遊技者が横を向いて表示器を見た場合に、遊技者の一部にとっては表示器の表示画面が、横を向いた場合に正対する角度であっても、他の遊技者にとっては表示画面が大きく傾斜した状態になり、画面が見難いことがある。
【０００６】
本発明の課題は、このような点に鑑みて、遊技者の身長・体型、遊技姿勢に応じて表示画面を見やすい位置、角度に調整できるようにした表示器を備えた遊技台用台間機を提供することにある。
【課題を解決するための手段】
【０００７】
上記の課題を解決するために、遊技台に隣接配置される本発明の遊技台用台間機は、
台間機本体と、
前記遊技台でプレイする遊技者に情報を表示する表示器と、
を有しており、
前記表示器は、前記台間機本体に対して、当該台間機本体の上下方向の異なる高さ位置に移動可能に取り付けられていることを特徴としている。
【０００８】
本発明の遊技台用台間機では、遊技者の身長・体型、遊技姿勢に応じて、表示器の高さ位置に調整できる。よって、いずれの遊技者にとっても表示器を見易くすることができる。
【０００９】
ここで、前記表示器を、手動操作によって、前記上下方向の異なる高さ位置に位置決めすることができる。
【００１０】
この代わりに、ボタン操作等によって表示器の高さ位置を調整することも可能である。この場合には、遊技台用台間機に、前記表示器を、前記上下方向の異なる高さ位置に移動させる表示器移動機構と、前記表示器を移動させるために操作される手動操作部材と、前記手動操作部材が操作されると、前記表示器移動機構を駆動して前記表示器を移動させる制御を行う制御部とを配置すればよい。
【００１１】
次に、表示器の表示画面の向きが遊技者に正対するように、前記表示器は、前記上下方向に直交する左右方向に、当該表示器の表示画面の向きを変更可能であることが望ましい。また、前記表示器は、前記上下方向に、当該表示器の表示画面の向きを変更可能であることが望ましい。
【００１２】
一方、使用していない場合に表示器が邪魔にならないようにするためには、前記台間機本体内に設けた表示器収納部を有しており、前記表示器は、前記表示器収納部に収納された収納位置から前記台間機本体の前面の前方に引き出された引き出し位置までの間を移動可能であることが望ましい。この場合には、前記表示器が前記引き出し位置まで引き出されると、当該表示器を前記上下方向に移動可能な状態にすればよい。
【００１３】
ここで、本発明は、表示器を備えた表示専用の台間機に適用可能なことは勿論である。これに限定されることなく、一般的に用いられている遊技媒体貸出用の台間機に対しても同様に適用可能である。この場合の遊技台用台間機の台間機本体には、前記遊技台でプレイするために用いる遊技媒体の貸し出しを行うための紙幣識別ユニット、カードリーダーライターおよび制御ユニットが搭載される。
【図面の簡単な説明】
【００１４】
【図１】本発明を適用した遊技台用台間機を示す平面図、正面図および側面図である。
【図２】図１の遊技台用台間機の表示器移動機構を示す説明図である。
【図３】図１の遊技台用台間機の表示器移動機構の別の例を示す説明図である。
【図４】図１の遊技台用台間機の表示器移動機構の更に別の例を示す説明図である。
【発明を実施するための形態】
【００１５】
以下に、図面を参照して、本発明を適用した遊技台用台間機の実施の形態を説明する。以下の実施の形態は、本発明を、表示器を備えた遊技媒体貸出用の一般的な遊技台用台間機に適用した場合の例である。本発明は、表示専用の遊技台用台間機等に対しても同様に適用可能なことは勿論である。
【００１６】
図１（ａ）、（ｂ）および（ｃ）は、本発明の実施の形態に係る遊技媒体貸出用の遊技台用台間機（以下、単に「台間機」と呼ぶ場合もある。）を示す平面図、正面図および側面図である。これらの図を参照して説明すると、遊技店等においては、パチンコ台等の遊技台１に隣接して、当該遊技台１に遊技媒体の貸し出しを行う台間機２が配置される。これら遊技台１と台間機２とが交互に配列されて遊技島が構成され、一般的には多数列の遊技島が遊技店内に設置される。
【００１７】
台間機２は、図１（ｃ）に示すように、偏平で縦長の直方体状の台間機本体３と、不図示の遊技島を構成する遊技島フレームに固定した台間機ホルダー４とを備えている。台間機本体３は台間機ホルダー４に対して前方に引き出し可能な状態で固定されている。
【００１８】
台間機本体３の前面には表示器、本例では直方体形状の液晶表示器５が上下方向の位置を調整可能な状態（上下方向に移動可能な状態）で取り付けられている。図１（ｃ）に示
すように、液晶表示器５の上下方向の可動範囲Ａは、下端位置ａ１から上端位置ａ２までの間である。したがって、上下方向の調整可能範囲はＡ１で示す範囲である。
【００１９】
また、本例では、液晶表示器５は左右方向に表示画面５ａの向きを変更可能である。図１（ａ）に示すように、左右方向の可動角度範囲Ｂは、表示画面５ａが左右方向（台間機幅方向）に直交する直交角度位置ｂ１から表示画面５ａが後端を中心として前方を向く状態に所定角度だけ傾斜した傾斜位置ｂ２までの間である。
【００２０】
なお、液晶表示器５の表示画面５ａの向きを上下方向に変更可能にすることも可能である。この場合には、図１（ｃ）において一点鎖線Ｃで示す中心軸線を中心として、液晶表示器５を、垂直な姿勢の状態から上下方向に傾斜させるようにすればよい。
【００２１】
次に、図１（ｂ）に示すように、台間機本体３の前面６には、その上端側から下方に、状態表示ランプ７、紙幣入口８、表示器ガイド枠９およびカード入口１０がこの順序で配列されている。表示器ガイド枠９には、先に述べたように、可動範囲Ａ内を上下方向に移動可能な状態で、液晶表示器５が取り付けられている。
【００２２】
台間機本体３の内部には、紙幣入口８に対応する部位に紙幣識別ユニット１１が配置され、この下側には制御ユニット１２が配置され、この下側にはカードリーダーライター１３が配置され、この下側にはカードストッカー１４が配置されている。制御ユニット１２は、台間機本体３の背面における上下方向の中程の部位には中継基板１５が取り付けられている。制御ユニット１２は、中継基板１５を介して、遊技店に設置されたホストコンピュータ（図示せず）および隣接配置された遊技台１との間で通信を行う。また、表示器ガイド枠９の背面側には、液晶表示器５を上下方向にガイドするための表示器ガイド部２０が組み込まれている。
【００２３】
制御ユニット１２の制御の下で、液晶表示器５の表示画面５ａのタッチパネルからの操作入力、紙幣入口８から挿入される紙幣、カード入口１０から挿入されるプリペイドカードあるいは会員カード等に基づき、隣接する遊技台１でプレイするためのパチンコ玉等の遊技媒体の貸し出しが行われる。また、液晶表示器５の表示画面５ａには、遊技媒体の貸し出し情報、隣接する遊技台１の動作状態、ホストコンピュータの側から配信されるテレビ画像、広告画像等が表示される。
【００２４】
図２（ａ）および（ｂ）は、台間機本体３における表示器ガイド枠９の背面側に組み込まれている液晶表示器５の表示器ガイド部２０の一例を示す説明図である。表示器ガイド部２０は、上下方向に延びる一定長さの垂直ガイドレール２１を備えている。垂直ガイドレール２１には、当該垂直ガイドレール２１に沿って上下方向にスライド可能な状態で、スライダ２２が取り付けられている。液晶表示器５は、上下方向に延びる垂直軸２３を中心として左右に回動可能な状態で、スライダ２２に搭載されている。また、スライダ２２にはノッチピン２４が取り付けられ、台間機本体３の側には、ノッチピン２４が係合可能なノッチ溝２５ａが上下方向に一定のピッチで形成された係合部２５が配置されている。
【００２５】
表示器ガイド部２０によって支持されている液晶表示器５は、遊技者による手動操作によって上下方向の位置を調整可能である。例えば、図２（ａ）に示すように、遊技者Ｐの目の高さ位置に比べて液晶表示器５の表示画面５ａが低い場合には、遊技者Ｐは、液晶表示器５を上方に押し上げて、ノッチ溝２５ａに対応するピッチで、高さ位置を調整することができる。なお、無段階に高さ位置を調整できるように表示器ガイド部２０を構成することも可能である。
【００２６】
図２（ｂ）に示すように、遊技者Ｐは、液晶表示器５の高さ調整と共に、その表示画面
５ａの向きを左右に調整することができる。遊技者Ｐが液晶表示器５を左右に押すと、液晶表示器５は、スライダ２２に取り付けた垂直軸２３を中心として左右に回動する。これにより、遊技者Ｐは、台間機２の側を向いた場合に、液晶表示器５の表示画面５ａが真正面に位置するように、表示画面５ａの左右の向きを調整できる。
【００２７】
（表示器移動機構の例）
次に、液晶表示器５を手動操作によらず、上下方向に移動させるようにすることも可能である。図３は、液晶表示器５を上下方向に移動させる表示器移動機構を備えた台間機を示す説明図である。
【００２８】
台間機２Ａの基本構成は上記の台間機２と同一である。本例の表示器移動機構は、液晶表示器５を上下方向にガイドするガイド部３１と、液晶表示器５をガイド部３１に沿って上下方向に移動させるための駆動力を発生するモーター３２と、モーター３２の回転をガイド部３１に沿った液晶表示器５の上下方向への駆動力に変換する動力伝達機構３３とを備えている。
【００２９】
制御ユニット１２は、例えば、液晶表示器５のタッチパネルに配列した昇降ボタン等の操作部材３４が操作されると、モーター３２を駆動制御して、液晶表示器５を操作入力に応じた上方あるいは下方に移動させる。液晶表示器５の上端位置および下端位置は、例えば、リミットスイッチ等のセンサ３５ａ、３５ｂによって検出する。なお、液晶表示器５を、モーター３２の駆動力によって、左右に回動させて、その表示画面５ａの向きを変えるようにすることも可能である。
【００３０】
（表示器収納部付きの台間機の例）
次に、前述の台間機２において、液晶表示器５を台間機本体３に収納できるようにすることも可能である。図４は、表示器収納部を備えた台間機の例を示す説明図である。
【００３１】
この図に示す台間機２Ｂは、前述の台間機２と基本構成が同一であり、その台間機本体３Ｂが液晶表示器５を収納する表示器収納部４０を備えている。例えば、液晶表示器５を最も高い位置まで押し上げると、表示器収納部４０に収納可能になる。この位置において、液晶表示器５を台間機後方に押し込むと、当該液晶表示器５が後方にスライドして、表示器収納部４０に収納される。台間機本体内に表示器収納部を配置可能なスペースを確保しやすいので、表示専用の遊技台用台間機等の場合に適している。
【００３２】
（その他の実施の形態）
上記の各実施の形態において、センサを用いて遊技者を検出して、液晶表示器を遊技者に適した高さ位置に移動させるようにすることも可能である。例えば、隣接の遊技台の椅子の座面等にセンサを配置し、遊技者が座ったことを検出すると、液晶表示器を待機位置から所定の高さ位置まで上昇させ、広告宣伝等の画像の表示を開始するようにしてもよい。
【００３３】
また、液晶表示器の表示画面に、指向性の高い（検出領域の狭い）人感センサなどのセンサを配置し、隣接の遊技台に遊技者が座ったことが検出された後に、センサによって遊技者が検出される高さ位置、向きとなるように液晶表示器を移動、回転させるようにすることも可能である。
【符号の説明】
【００３４】
１    遊技台、２，２Ａ，２Ｂ  台間機、３，３Ｂ  台間機本体、
４    台間機ホルダー、５  液晶表示器、５ａ  表示画面、６  前面、
７    状態表示ランプ、８  紙幣入口、９  表示器ガイド枠、１０  カード入口、
１１  紙幣識別ユニット、１２  制御ユニット、１３  カードリーダーライター、
１４  カードストッカー、１５  中継基板、２０  表示器ガイド部、
２１  垂直ガイドレール、２２  スライダ、２３  垂直軸、２４  ノッチピン、
２５  係合部、２５ａ  ノッチ溝、３１  ガイド部、３２  モーター、
３３  動力伝達機構、３４  操作部材、３５ａ，３５ｂ  センサ、４０  表示器収納部、Ａ    上下方向の可動範囲、Ａ１  上下方向の調整可能範囲、
ａ１  下端位置、ａ２  上端位置、
Ｂ    左右方向の可動角度範囲、ｂ１  直交角度位置、ｂ２  傾斜位置、
Ｃ    中心軸線、Ｐ  遊技者
【図１】
0006304760.tif 000002
【図２】
0006304760.tif 000003
【図３】
0006304760.tif 000004
【図４】
0006304760.tif 000005